(57)【要約】【課題】遊技盤に沿いかつ流下方向と交差する方向に設けられる誘導路を移動する遊技球が、誘導路の途中に開口する入賞口を飛び越えることなく入賞でき、開放時の入賞率の低下を抑制できる遊技機用可変入賞装置とそれを備えた遊技機を提供する。【解決手段】開閉扉４が開放状態にあるとき、遊技領域を下向きに流下して誘導路ＲＴ１の誘導案内面３２ａに衝突した遊技球は、誘導案内面３２ａから大きく浮上するが、跳球抑止面３３ｂで押し戻されて、あるいは頂壁部３３Ｔの下面３３ａに当接して、大入賞口３１へ導入される（Ｂ１→Ｂ２→（３３ｂ）→Ｂ２→Ｂ４あるいはＢ１→Ｂ２→Ｂ３→Ｂ４）。誘導案内面３２ａを移動する遊技球同士の衝突によって弾き飛ばされた遊技球は、誘導案内面３２ａから小さく浮上するが、跳球抑止面３３ｂで押し戻されて、あるいは頂壁部３３Ｔの下面３３ａに当接して、大入賞口３１へ導入される（Ｂ１→Ｂ２→（３３ｂ）→Ｂ２→Ｂ４あるいはＢ１→Ｂ２→Ｂ３→Ｂ４）。【選択図】図１２
2013188367.tif 000002
【特許請求の範囲】
【請求項１】
遊技盤の遊技領域に配置され、遊技球を前記遊技盤に沿いかつ流下方向と交差する方向に案内する誘導路の誘導案内面を構成するとともに、その誘導案内面に、遊技球を落下させて入賞させる入賞口が開口形成された通路形成部と、
前記入賞口を閉じて前記通路形成部とともに前記誘導路の誘導案内面を構成する閉鎖状態と、前記入賞口を開いてその入賞口への入賞を可能とする開放状態とに変位する開閉扉と、
少なくとも前記入賞口の上方を覆い、前記誘導案内面上を移動する遊技球の移動方向への通過を許容するとともに、前記誘導案内面から浮上した遊技球に接触して入賞口側に導くことが可能な入賞案内部と、を備え、
前記開閉扉が前記開放状態にあるとき、前記入賞案内部は、前記遊技領域を流下した遊技球が前記誘導案内面に衝突したり、その誘導案内面を移動する遊技球同士が衝突したりすることにより、該誘導案内面から浮上した遊技球を前記入賞口へ導いて入賞可能とすることを特徴とする遊技機用可変入賞装置。
【請求項２】
前記入賞案内部は、前記入賞口の上方側を覆う頂壁部と手前側を覆う前壁部とが連続的に形成されて前記入賞口をトンネル状に覆い、前記頂壁部が前記遊技盤に保持される請求項１に記載の遊技機用可変入賞装置。
【請求項３】
少なくとも前記入賞口及び開閉扉を手前側から覆う状態で前記遊技盤に固定される前面カバーを備え、
前記入賞案内部の前壁部は前記前面カバーと一体的に連結されている請求項２に記載の遊技機用可変入賞装置。
【請求項４】
前記通路形成部は前記入賞口を挟んで遊技球の移動方向の上流側に位置する上流通路部と下流側に位置する下流通路部とを有し、
前記開閉扉が前記閉鎖状態にあるとき、前記上流通路部、前記開閉扉及び前記下流通路部は前記誘導路の誘導案内面を構成し、これらの誘導案内面は、この順で低くなるように配置されるとともに、それぞれが遊技球の移動方向の下流側ほど低くなる請求項１ないし３のいずれか１項に記載の遊技機用可変入賞装置。
【請求項５】
前記開閉扉が前記閉鎖状態にあるとき、前記上流通路部、前記開閉扉及び前記下流通路部の誘導案内面は、この順で低くなる段差を有するとともに、互いに平行な平面に形成されている請求項４に記載の遊技機用可変入賞装置。
【請求項６】
請求項１ないし５のいずれか１項に記載の遊技機用可変入賞装置が前記遊技盤に固定配置されることを特徴とする遊技機。
【発明の詳細な説明】
【技術分野】
【０００１】
本発明は、遊技機用可変入賞装置及びそれを備えた遊技機に関する。
【背景技術】
【０００２】
従来の遊技機において、例えば一般に「アタッカー」として用いられる可変入賞装置は、流下方向を上下方向としその交差方向を左右方向とし、左右を長手方向として長方形状に開口する大入賞口（入賞口）が、左右方向に延びる回動軸線周りで回動可能に配置された閉鎖部材（開閉扉）により開閉可能に塞がれる構造となっている。このような可変入賞装置では、開閉扉は手前側に回動して開くので、開閉扉が作動するために大きなスペースを要し、入賞口の開放時に開閉扉とガラス扉との間に玉詰りを生じるおそれもある。
【０００３】
そこで近年、左右方向の誘導路の一部を開口して入賞口を形成し、誘導路の誘導案内面上を左右方向に移動する遊技球が入賞口から落下することによって入賞する、落とし穴式入賞口タイプの可変入賞装置が提案されている（特許文献１参照）。この場合、開閉扉は入賞口の上側で前後方向に移動し、入賞口の開放時に開閉扉は退入する（奥へ引き込む）ので、開閉扉の作動に要するスペースを縮小して小型軽量化を図ることができ、開閉扉とガラス扉との間の玉詰りも生じにくくなる。ところが、このタイプのものでは、誘導路の上面が遊技球の誘導案内面となるため、遊技領域を勢いよく落下する遊技球が誘導案内面に衝突して跳ね、開放された入賞口を飛び越えてしまうおそれがあり、これによって入賞口の開放時の入賞率が低下してしまう。特に、この入賞口が短時間で大量の賞球を獲得するための大入賞口（アタッカー）である場合には、遊技に対する興趣が失われるおそれがある。
【先行技術文献】
【特許文献】
【０００４】
【特許文献１】特開２０１１−４５４９１号公報
【発明の概要】
【発明が解決しようとする課題】
【０００５】
本発明の課題は、遊技盤に沿いかつ流下方向と交差する方向に設けられる誘導路を移動する遊技球が、誘導路の途中に開口する入賞口を飛び越えることなく入賞でき、開放時の入賞率の低下を抑制できる遊技機用可変入賞装置とそれを備えた遊技機を提供することにある。
【課題を解決するための手段及び発明の効果】
【０００６】
上記課題を解決するために、本発明の遊技機用可変入賞装置は、
遊技盤の（盤面上に形成された）遊技領域に配置され、遊技球を前記遊技盤に沿いかつ流下方向と交差する方向（例えば左右方向）に案内する誘導路の誘導案内面を構成するとともに、その誘導案内面に、遊技球を落下させて入賞させる入賞口が開口形成された通路形成部と、
（例えば前記遊技盤と交差する方向（前後方向）の回動軸線周りで回動し、）前記入賞口を閉じて前記通路形成部とともに前記誘導路の誘導案内面を構成する閉鎖状態と、前記入賞口を開いてその入賞口への入賞を可能とする開放状態とに変位する開閉扉と、
少なくとも前記入賞口の上方（例えば上方側及び手前側）を覆い、前記誘導案内面上を移動する遊技球の移動方向への通過を許容するとともに、前記誘導案内面から浮上した遊技球に接触して入賞口側に導くことが可能な入賞案内部と、を備え、
前記開閉扉が前記開放状態にあるとき、前記入賞案内部は、前記遊技領域を流下した遊技球が前記誘導案内面に衝突したり、その誘導案内面を移動する遊技球同士が衝突したりすることにより、該誘導案内面から浮上した遊技球を前記入賞口へ導いて入賞可能とすることを特徴とする。
【０００７】
このように、開閉扉が開放状態のとき、遊技盤に沿いかつ流下方向と交差する方向（例えば左右方向）の誘導路を移動する遊技球は、誘導案内面に開口する入賞口を覆う入賞案内部によって入賞口へ導かれる。つまり、誘導路を移動する遊技球が、誘導案内面との衝突によってあるいは互いの衝突によって跳ねた場合でも、誘導案内面に開口する落とし穴式入賞口を飛び越えることなく入賞できるから、入賞口開放時の入賞率を低下させずにすむ。したがって、この入賞口が大当たり時に開放される大入賞口（アタッカー）である場合には、短時間で大量の賞球を獲得することができ、遊技に対する興趣が向上する。しかも、落とし穴式入賞口タイプの特性を損なうことなく、開閉扉の作動に要するスペースを縮小して小型軽量化を図ることができる。
【０００８】
なお、開閉扉の作動方式は次のいずれでもよい。いずれの方式であっても、入賞口を閉じた閉鎖状態では、開閉扉は通路形成部とともに誘導路の誘導案内面を構成し、入賞口を開いた開放状態では、開閉扉は入賞口への入賞を可能とする。
（１）遊技盤と交差する方向（例えば前後方向）の回動軸線周りで開閉扉が回動する回動方式。
（２）遊技盤と交差する方向（例えば前後方向）又は遊技盤に沿いかつ流下方向と交差する方向（例えば左右方向）に開閉扉が移動するスライド方式。
【０００９】
入賞案内部は、入賞口の上方側を覆う頂壁部と手前側を覆う前壁部とが連続的に形成されて入賞口をトンネル状に覆い、頂壁部が（例えば台板を介して）遊技盤に保持される。入賞案内部を遊技盤に保持することによって、入賞案内部の取り付けが容易になるとともに、誘導案内面から浮上した遊技球を安定して入賞口へ導入できる。
【００１０】
具体的には、少なくとも入賞口及び開閉扉を手前側から覆う状態で（例えば台板を介して）遊技盤に固定される前面カバーを備える場合には、入賞案内部の前壁部を前面カバーと一体的に連結することができる。入賞案内部（頂壁部及び前壁部）と前面カバーとを連結し、入賞口の手前側から上方側を覆うことによって、入賞案内部の取付構造を簡素化することができ、不正行為を防止する上でも効果がある。なお、入賞口から入賞検知センサに至る入賞通路を前面カバーに形成すれば、さらに構成を簡素化し、不正行為に対する安全性を高めることができる。
【００１１】
また、上記課題を解決するために、本発明の遊技機は、
以上のような遊技機用可変入賞装置が遊技盤に固定配置されることを特徴とする。
【００１２】
このように、入賞口開放時の入賞率が高く維持された入賞装置を搭載することにより、興趣に富む盤面構成を有する遊技機を容易に実現することができる。
【００１３】
なお、本発明の遊技機には、パチンコ機、アレパチ機等の弾球遊技機が含まれる。
【図面の簡単な説明】
【００１４】
【図１】本発明に係る入賞装置を備えたパチンコ機を例示する正面図。
【図２】本発明に係る入賞装置の一例を、前面カバーを透視状態として示す全体斜視図。
【図３】図２とは異なる方向から見た全体斜視図。
【図４】図３の平面図。
【図５】図３の正面図。
【図６】前面カバーを含んで示す図３の分解斜視図。
【図７】図６の反対側から見た分解斜視図。
【図８】入賞装置全体の平面図。
【図９】入賞装置全体の正面図。
【図１０】図８のX−X断面図。
【図１１】図９のXI−XI断面図。
【図１２】開閉扉が開放位置に変位したときの、図１０に相当する断面図。
【図１３】図１０のＡ部拡大図。
【図１４】本発明に係る入賞装置の第１変形例を示す断面図。
【図１５】本発明に係る入賞装置の第２変形例を示す断面図。
【図１６】本発明に係る入賞装置の第３変形例を示す断面図。
【図１７】本発明に係る入賞装置の第４変形例を示す断面図。
【発明を実施するための形態】
【００１５】
以下、本発明の実施の形態を図面を参照しつつ説明する。図１に示すように、パチンコ機１０１（遊技機）の遊技盤１０２の盤面（前面）には、ほぼ左半周が内外２本の発射レール１０２ｂによって区画され、全体として円形の遊技領域１０２ａが形成されている。遊技領域１０２ａの中央には液晶表示部１０３が搭載され、液晶表示部１０３の下方（遊技領域１０２ａの中央下部）には、電動チューリップ（電チュー）にて構成され、入賞に基づいて当否抽選が行われる始動入賞装置１０４が配置されている。また、始動入賞装置１０４の右側（液晶表示部１０３の斜め右下方）に、当否抽選の結果が大当たりであった場合に長時間開放される大入賞装置１（可変入賞装置）が配置されている。
【００１６】
図４，図５（あるいは図８，図９）に示すように、この大入賞装置１は、横長で矩形に近似した形状の台板２によって遊技盤１０２に固定されている。また、台板２には、前後方向に扁平で直方体に近似の箱形状に形成された前面カバー３がビス等の締結部材（図示せず）によって固定され、台板２と前面カバー３とで閉鎖された空間が形成されている。
【００１７】
本明細書において、上下方向とは遊技盤１０２の盤面に沿う形で遊技球が流下する方向（例えば、鉛直方向）を意味する。また、左右方向とは遊技盤１０２の盤面に沿う形で上下方向と交差する方向（例えば、水平方向）を意味し、遊技者側からみて左側、右側をいう。さらに、前後方向とは遊技盤１０２と交差（例えば、直交）する方向を意味し、遊技者側（手前側）が前方側であり、その反対側（奥側）が後方側となる。
【００１８】
図２，図３及び図６，図７，図１１に示すように、台板２と前面カバー３とによって形成される内部空間には、回動方式で大入賞口３１（入賞口）を開放・閉鎖する開閉扉４、開閉扉４を駆動するリニアアクチュエータ（駆動源）としてのソレノイド５（図６参照）、ソレノイド５の駆動力を開閉扉４へ伝達する伝達部材であるヘッドカバー６及び揺動アーム７（図６参照）、入賞検知センサとしての近接スイッチ８、大入賞口３１等を内部から照明するためのＬＥＤ９１（発光体）を実装したＬＥＤ基板９（発光基板）、中間カバー１０等が収容されている。
【００１９】
また、前面カバー３は、台板２の前方側（手前側）を覆う板状のカバー部３０と、上面が遊技球を左右方向に案内する誘導路ＲＴ１の誘導案内面３２ａを構成するとともに、その誘導案内面３２ａに、遊技球を落下させて入賞させる大入賞口３１が開口形成された通路形成部３２と、大入賞口３１の上方側と前方側（手前側）とを覆い、誘導案内面３２ａ上を移動する遊技球の移動方向への通過を許容するとともに、誘導案内面３２ａから浮上した遊技球に接触して大入賞口３１側に導くことが可能な入賞案内部３３とを有する。
【００２０】
具体的には、カバー部３０は、大入賞口３１から近接スイッチ８に至る入賞通路ＲＴ２の前壁を構成し、中間カバー１０とともに入賞通路ＲＴ２を形成する。入賞通路ＲＴ２を前面カバー３のカバー部３０内面に形成することで、構成の簡素化を図るとともに、開閉扉４等に対する不正行為を防止している。なお、カバー部３０を含む前面カバー３は、入賞通路ＲＴ２を通過する入賞球が視認できるように全体が透光性樹脂により形成されている。
【００２１】
入賞案内部３３は、大入賞口３１の上流側から下流側にかけて上方側を覆う頂壁部３３Ｔと前方側（手前側）を覆う前壁部３３Ｆとが連続的に形成されて大入賞口３１をトンネル状に覆い、前壁部３３Ｆを介して遊技球の通過を視認できるようになっている。また、頂壁部３３Ｔが台板２の上辺を切り欠いて形成された頂壁受止部２１に保持されている。なお、頂壁部３３Ｔは下流側ほど低くなるように一方向に傾斜して形成されている。また、頂壁部３３Ｔ、前壁部３３Ｆ及びカバー部３０は一体的に形成されている。入賞案内部３３（頂壁部３３Ｔ及び前壁部３３Ｆ）と前面カバー３とを連結し、大入賞口３１の前面側及び上方側を覆うことで、開閉扉４等に対する不正行為を防止している。なお、入賞案内部３３の上流側端部は上流通路部３２Ｕの下流側端部も覆っているので、入賞案内部３３による大入賞口３１への導入が一層安定する。
【００２２】
図１３に示すように、上流通路部３２Ｕの誘導案内面３２ａ、頂壁部３３Ｔの下面３３ａ（内面）及び閉鎖状態における開閉扉４の誘導案内面４ａはそれぞれほぼ平行である。したがって、誘導案内面３２ａの水平面からの傾斜角α１、下面３３ａの水平面からの傾斜角α２及び誘導案内面４ａの水平面からの傾斜角α３はすべて等しくなり（α１＝α２＝α３）、５°〜１５°位の鋭角（例えば８°）に形成されている。さらに、頂壁部３３Ｔの上流側端部には、誘導案内面３２ａを流下する遊技球が誘導案内面３２ａから浮上する（跳ね上がる）のを抑制するための跳球抑止面３３ｂが形成され、この跳球抑止面３３ｂが下面３３ａと鋭角状に交差するときの交差角βは下面３３ａの傾斜角α２より大きく形成されている。跳球抑止面３３ｂにより遊技球の跳ね上がりが抑制され、大入賞口３１への導入案内がスムーズになる。また、交差角β＞傾斜角α２により、遊技球は跳球抑止面３３ｂでやや上流側へ押し戻されるように下方へ誘導案内されるので、開閉扉４の開放状態において、損傷することなくスムーズに大入賞口３１に入賞する（図１２参照）。
【００２３】
図４，図５に示すように、開閉扉４は、前後方向の回動軸線ＣＬ１周りで回動し、その上面が大入賞口３１を閉じて通路形成部３２とともに誘導路ＲＴ１の誘導案内面４ａを構成する閉鎖状態（図１０参照）と、大入賞口３１を開いて大入賞口３１への入賞を可能とする開放状態（図１２参照）とに変位する。
【００２４】
これによって、入賞案内部３３ひいては大入賞装置１全体の構造を簡素化し、組立コストを低減することができる。また、頂壁部３３Ｔが台板２を介して遊技盤１０２（図８参照）に保持され、頂壁部３３Ｔに遊技球が当たったときの衝撃を台板２（頂壁受止部２１）で受け止めることによって、強度の向上が図られている。
【００２５】
図１０に示すように、通路形成部３２は大入賞口３１を挟んで遊技球の移動方向の上流側に位置する上流通路部３２Ｕと下流側に位置する下流通路部３２Ｄとを有している。開閉扉４が図１０の閉鎖状態にあるとき、上流通路部３２Ｕ、開閉扉４及び下流通路部３２Ｄは誘導路ＲＴ１の誘導案内面３２ａ，４ａ，３２ａを構成し、これらの誘導案内面３２ａ，４ａ，３２ａは、この順で低くなるように配置されるとともに、それぞれが遊技球の移動方向の下流側ほど低くなるように形成されている。さらに、上流通路部３２Ｕの誘導案内面３２ａを流下する遊技球は、カバー部３０の上端部から三角リブ状に突出する頂部３２ｂにより前面側への落下が規制され、下流通路部３２Ｄの誘導案内面３２ａを流下する遊技球は、カバー部３０の上端部から薄板状に突出する壁部３２ｃにより前面側への落下が規制される（図６，図７参照）。
【００２６】
上流通路部３２Ｕ→開閉扉４→下流通路部３２Ｄへの遊技球の移動がスムーズに行われ、また遊技領域１０２ａ（図１参照）から上流通路部３２Ｕへの遊技球の導入や下流通路部３２Ｄから遊技領域１０２への遊技球の導出もスムーズに行われる。したがって、斬新な動きを付与できるとともに、玉詰りが発生しにくい大入賞装置１とすることができる。なお、各誘導案内面３２ａ，４ａ，３２ａには、さらに手前側ほど低くなる傾斜を設けてもよく、これによって誘導案内面３２ａ，４ａ，３２ａ上を転動する遊技球に前後方向への動きを付加することができる。この場合でも、頂部３２ｂや壁部３２ｃによって遊技球の前面側への落下は規制されている。
【００２７】
さらに、開閉扉４が図１０の閉鎖状態にあるとき、上流通路部３２Ｕ、開閉扉４及び下流通路部３２Ｄは誘導路ＲＴ１の誘導案内面３２ａ，４ａ，３２ａは、この順で低くなる段差を有するとともに、互いに平行な平面に形成されている。
【００２８】
遊技球が図１０の右から左へ移動して、上流通路部３２Ｕ→開閉扉４→下流通路部３２Ｄに乗り移るときに、段差での落下を伴う複雑な動きを付与されるので、遊技に対する興趣が一層高められる。
【００２９】
上流通路部３２Ｕ及び下流通路部３２Ｄは、前壁部３３Ｆ（すなわち大入賞口３１）を挟んで遊技球の移動方向の上流側と下流側においてそれぞれカバー部３０と一体的に形成されている。これによって、誘導路ＲＴ１を容易かつ安定して形成できるとともに、入賞案内部３３ひいては前面カバー３全体の取付構造を簡素化することができる。
【００３０】
図１２に示すように、開閉扉４が開放状態にあるとき、遊技領域１０２ａ（図１参照）を下向きに流下して誘導路ＲＴ１の誘導案内面３２ａに衝突した遊技球は、誘導案内面３２ａから大きく浮上する（跳ねる）傾向にあるが、跳球抑止面３３ｂで押し戻されて（反射して）、あるいは頂壁部３３Ｔの下面３３ａに当接（接触）して、大入賞口３１へ導入される（Ｂ１→Ｂ２→（３３ｂ）→Ｂ２→Ｂ４あるいはＢ１→Ｂ２→Ｂ３→Ｂ４）。また、誘導案内面３２ａを移動する遊技球同士の衝突によって弾き飛ばされた遊技球は、誘導案内面３２ａから小さく浮上する（跳ねる）傾向にあるが、頂壁部３３Ｔの下面３３ａに当接（接触）して、大入賞口３１へ導入される（Ｂ０→Ｂ２→Ｂ３→Ｂ４）。このように、遊技球が誘導案内面３２ａから浮上した場合でも、入賞案内部３３（特に頂壁部３３Ｔ）の下面３３ａ及び跳球抑止面３３ｂがこれらの遊技球を大入賞口３１へ導入して入賞させることができる。なお、開閉扉４が開放状態にあるときには、開閉扉４の上面４ａは、大入賞口３１へ入賞した遊技球を入賞通路ＲＴ２へガイドする入賞案内面となる。
【００３１】
図１０に示すように、開閉扉４が閉鎖状態にあるとき、遊技領域１０２ａ（図１参照）を下向きに流下して誘導路ＲＴ１の誘導案内面３２ａに衝突した遊技球は、誘導案内面３２ａから大きく浮上する（跳ねる）傾向にあるが、跳球抑止面３３ｂで押し戻されて（反射して）、あるいは頂壁部３３Ｔの下面３３ａに当接（接触）して、大入賞口３１側に導かれ、誘導路ＲＴ１に沿って移動する（Ｂ１→Ｂ２→（３３ｂ）→Ｂ２→Ｂ４→Ｂ５あるいはＢ１→Ｂ２→Ｂ３→Ｂ４→Ｂ５）。また、誘導案内面３２ａを移動する遊技球同士の衝突によって弾き飛ばされた遊技球は、誘導案内面３２ａから小さく浮上する（跳ねる）傾向にあるが、頂壁部３３Ｔの下面３３ａに当接（接触）して、大入賞口３１側に導かれ、誘導路ＲＴ１に沿って移動する（Ｂ１→Ｂ２→（３３ｂ）→Ｂ２→Ｂ４→Ｂ５あるいはＢ１→Ｂ２→Ｂ３→Ｂ４→Ｂ５）。大入賞口３１へ導入される（Ｂ０→Ｂ２→Ｂ３→Ｂ４）。このように、遊技球が誘導案内面３２ａから浮上した場合でも、入賞案内部３３（特に頂壁部３３Ｔ）の下面３３ａ及び跳球抑止面３３ｂがこれらの遊技球を大入賞口３１側に導き、誘導路ＲＴ１に沿って移動させることができる。
【００３２】
開閉扉４の動作について説明する。図６（又は図７，図１０）に示すように、ソレノイド５の駆動部材としてのプランジャ５１の直線的な変位が、伝達部材であるヘッドカバー６、揺動アーム７等を介し、開閉扉４の回転移動に変換して伝達される。具体的には、開閉扉４は、左右方向を長手方向とする板状に形成され、左右方向の中間部には、前後方向に突出する回動軸４１（回動軸線ＣＬ１）を有し、回動軸４１が台板２の回動軸受止部２２に回転可能に支持されている。ソレノイド５は台板２のソレノイド収容部２３に固定されている。
【００３３】
ヘッドカバー６のヘッド収容部６ａは、プランジャ５１の先端部に形成された鍔状のヘッド部５１ａ（プランジャヘッド）を保持している。一方、揺動アーム７は、一端部（例えば下端部）から回動軸４１（回動軸線ＣＬ１）と平行に後方側に突出する揺動軸部７ａ（揺動軸線ＣＬ２）が台板２の揺動軸受凹部２４に回転可能に支持されている。ヘッドカバー６のピン収容部６ｂは、揺動アーム７の中間部から揺動軸部７ａ（揺動軸線ＣＬ２）と平行に後方側に突出する突出ピン７ｂを保持している。ヘッド収容部６ａとピン収容部６ｂとは左右方向（ヘッド部５１ａの移動方向）で隣り合わせ状態に固定されているので、ヘッド部５１ａと突出ピン７ｂとは一体的に（同時に同方向に）移動できる。
【００３４】
図１０に示すように、ソレノイド５が消磁した状態では、プランジャ５１及びヘッドカバー６が突出し、揺動アーム７が反時計回り（一方向）に回動している。このとき、揺動アーム７の他端部（例えば上端部）は回動軸４１よりも左側（誘導路ＲＴ１の下流側）で開閉扉４の下面に当接（係合）し、開閉扉４を下側から押し上げるようにして支えることにより、開閉扉４を閉鎖状態に維持している。
【００３５】
ソレノイド５が励磁されると、プランジャ５１及びヘッドカバー６が後退し、揺動アーム７が時計回り（他方向）に回動する。このとき、開閉扉４の下面が当接案内面４ｂとなり、揺動アーム７の上端部は、当接案内面４ｂとの当接位置（係合位置）を回動軸線ＣＬ１方向（図１０では右方向）に移動する先端当接部７ｃとして機能する。
【００３６】
図１２に示すように、開閉扉４が開放状態に移行したとき（又はその直前）には、揺動アーム７の先端当接部７ｃと開閉扉４の当接案内面４ｂとの係合が外れ、開閉扉４は自重により揺動アーム７の上端部とは逆方向の反時計回り（一方向）に回動する。なお、開閉扉４は前面カバー３（上流通路部３２Ｕ下面）等と所定位置で当接して回動が規制され停止する。
【００３７】
入賞通路ＲＴ２の終端部に設けられる近接スイッチ８は、手前側ほど低くなるように傾斜して台板２のセンサ受部２５に固定されている。近接スイッチ８を傾斜配置することによって、大入賞装置１の前後方向（Ｚ方向と通称される）の薄型化が図られている。
【００３８】
ＬＥＤ基板９は台板２の最下部に形成された基板受部２６に保持されている。ＬＥＤ基板９に実装された複数のＬＥＤ９１は、大入賞口３１、誘導路ＲＴ１、入賞通路ＲＴ２等を下側から照明するように配置される。
【００３９】
中間カバー１０の本体部１０ａには左右方向の長孔１０ｃが形成され、この長孔１０ｃには、ヘッド収容部６ａから前方側に突出した突起６ｃが挿入されている。突起６ｃは長孔１０ｃ内を左右方向に移動可能であり、これによってプランジャ５１の直線運動が揺動アーム７の揺動運動に滑らかに変換される。中間カバー１０の入賞通路形成部１０ｂは、開閉扉４の開放状態において、開閉扉４の入賞案内面４ａに続く入賞通路ＲＴ２を形成する。また、中間カバー１０は、右上部の取付軸部１０ｄが台板２のボス部２７に挿入保持され、左上部の取付軸部１０ｅが台板２の凹部２８に挿入保持されるとともに、右下部の取付軸部１０ｆがビス等の締結部材（図示せず）によって台板２に固定されている。なお、長孔１０ｃは、中間カバー１０（本体部１０ａ）に代り、あるいは中間カバー１０（本体部１０ａ）に加えて、前面カバー３（カバー部３０）に形成することができる。
【００４０】
図１４〜図１７に可変入賞装置１の変形例を示す。図１４の第１変形例では、開閉扉４の閉鎖状態において、誘導案内面４ａの傾斜角α３が誘導案内面３２ａの傾斜角α１よりも大（例えば１０°）に形成されている（α１＝α２＜α３）。この場合には、上流通路部３２Ｕの誘導案内面３２ａから浮上した（跳ね上がった）遊技球を素早く下流側に排出することができる。
【００４１】
図１５の第２変形例では、頂壁部３３Ｔの始端部を高くして障壁部を形成することにより、上流通路部３２Ｕの誘導案内面３２ａで高く（大きく）跳ねた遊技球を誘導案内面３２ａに戻しやすくなる。
【００４２】
図１６の第３変形例では、頂壁部３３Ｔの下面３３ａの傾斜角α２が誘導案内面３２ａの傾斜角α１よりも大（例えば１０°）に形成されている（α１＝α３＜α２）。この場合には、上流通路部３２Ｕの誘導案内面３２ａから連続して遊技球が浮上しても（跳ね上がっても）、下面３３ａで広範囲に受け止めて効率よく誘導案内面３２ａ，４ａに戻すことができる。
【００４３】
図１７の第４変形例では、頂壁部３３Ｔの上面３３ｃ（外面）の水平面からの傾斜方向が、誘導案内面３２ａの傾斜方向と逆に形成されている。すなわち、傾斜角α１，α２，α３＞０としたとき、上面３３ｃ（外面）の水平面からの傾斜角α４＜０となる。この場合には、上流通路部３２Ｕの誘導案内面３２ａで遊技球が高く（大きく）跳ね上がって頂壁部３３Ｔの上面３３ｃに載ったとしても、上面３３ｃの逆傾斜により上流通路部３２Ｕの誘導案内面３２ａに容易に誘導することができる。
【００４４】
実施例や変形例に示した遊技機用可変入賞装置を、通路形成部と回動方式の開閉扉とを備えた単独の発明として把握することもできる。この場合には、例えば、
遊技盤の遊技領域に配置され、遊技球を前記遊技盤に沿いかつ流下方向と交差する方向に案内する誘導路の誘導案内面を構成するとともに、その誘導案内面に、遊技球を落下させて入賞させる入賞口が開口形成された通路形成部と、
前記遊技盤と交差する方向の回動軸線周りで回動し、前記入賞口を閉じて前記通路形成部とともに前記誘導路の誘導案内面を構成する閉鎖状態と、前記入賞口を開いてその入賞口への入賞を可能とする開放状態とに変位する開閉扉と、を備え、
前記通路形成部は前記入賞口を挟んで遊技球の移動方向の上流側に位置する上流通路部と下流側に位置する下流通路部とを有し、
前記開閉扉が前記閉鎖状態にあるとき、前記上流通路部、前記開閉扉及び前記下流通路部は前記誘導路を構成し、これらの上面は、この順で低くなるように配置されるとともに、それぞれが遊技球の移動方向の下流側ほど低くなる誘導案内面に形成されていることを特徴とする遊技機用可変入賞装置である。
【００４５】
あるいは、
遊技盤の遊技領域に配置され、遊技球を前記遊技盤に沿いかつ流下方向と交差する方向に案内する誘導路の誘導案内面を構成するとともに、その誘導案内面に、遊技球を落下させて入賞させる入賞口が開口形成された通路形成部と、
前記遊技盤と交差する方向の回動軸線周りで回動し、前記入賞口を閉じて前記通路形成部とともに前記誘導路の誘導案内面を構成する閉鎖状態と、前記入賞口を開いてその入賞口への入賞を可能とする開放状態とに変位する開閉扉と、を備え、
前記通路形成部は前記入賞口を挟んで遊技球の移動方向の上流側に位置する上流通路部と下流側に位置する下流通路部とを有し、
前記開閉扉が前記閉鎖状態にあるとき、前記上流通路部、前記開閉扉及び前記下流通路部は前記誘導路を構成し、これらの上面は、この順で低くなるように配置されるとともに、それぞれが遊技球の移動方向の下流側ほど低くなる誘導案内面に形成され、
前記開閉扉が前記閉鎖状態にあるとき、前記上流通路部、前記開閉扉及び前記下流通路部の誘導案内面は、この順で低くなる段差を有するとともに、互いに平行な平面に形成されていることを特徴とする遊技機用可変入賞装置である。
【００４６】
なお、図１４〜図１７に示す変形例において、実施例（図１〜図１３）と共通の機能を有する部位には同一符号を付して詳細な説明を省略した。また、これらの実施例及び変形例は、技術的な矛盾を生じない範囲において適宜組み合わせて実施できる。さらに、以上の説明では回動方式の開閉扉４についてのみ述べたが、開閉扉が前後方向や左右方向に移動するスライド方式にも適用することができる。
【符号の説明】
【００４７】
１        大入賞装置（遊技機用可変入賞装置）
３        前面カバー
３１      大入賞口（入賞口）
３２      通路形成部
３２ａ    上面（誘導案内面）
３２Ｕ    上流通路部
３２Ｄ    下流通路部
３３      入賞案内部
３３Ｔ    頂壁部
３３Ｆ    前壁部
４        開閉扉
４ａ      上面（誘導案内面；入賞案内面）
４ｂ      下面（当接案内面）
１０１    パチンコ機（遊技機）
１０２    遊技盤
１０２ａ  遊技領域
ＲＴ１    誘導路
ＲＴ２    入賞通路
【図１】
2013188367.tif 000003
【図２】
2013188367.tif 000004
【図３】
2013188367.tif 000005
【図４】
2013188367.tif 000006
【図５】
2013188367.tif 000007
【図６】
2013188367.tif 000008
【図７】
2013188367.tif 000009
【図８】
2013188367.tif 000010
【図９】
2013188367.tif 000011
【図１０】
2013188367.tif 000012
【図１１】
2013188367.tif 000013
【図１２】
2013188367.tif 000014
【図１３】
2013188367.tif 000015
【図１４】
2013188367.tif 000016
【図１５】
2013188367.tif 000017
【図１６】
2013188367.tif 000018
【図１７】
2013188367.tif 000019